(57)【要約】【課題】音楽再生が可能な情報再生装置において、再生される音声データのタイトル情報を、音声合成機能を有さずにユーザに対し音声で伝えられるようにする。【解決手段】通常再生モードの他に音声案内再生モードを設け、音声データ群Ｉと、音声データ群Ｉに含まれる各々の音声データ（Ａ、Ｂ、Ｃ、・・・）の関連情報を有する音声データ群IIに含まれる音声データ（ａ、ｂ、ｃ、・・・）と、音声データ（Ａ、Ｂ、Ｃ、・・・）と音声データ（ａ、ｂ、ｃ、・・・）をそれぞれ関連付ける関連管理情報とを記憶媒体に記録し、音声案内再生モード時、ユーザが選択した音声データ（Ｂ）の再生前あるいは再生後に、関連管理情報によってユーザが選択した音声データ（Ｂ）と関連付けられた音声データ（ｂ）を再生する。【選択図】図１
2006277787.tif 000002
【特許請求の範囲】
【請求項１】
記憶媒体に記録された音声データを読み出して再生することができる情報再生装置であって、
通常再生モードと音声案内再生モードの２つの再生モードを選択できる再生モード選択手段と、
第一の音声データ群の中の音声データと第二の音声データ群の中の音声データをそれぞれ関連付ける関連管理情報を前記記憶媒体から読み出す関連管理情報読出手段とを有し、
前記再生モード選択手段によって通常再生モードが選択されている場合は、前記第一の音声データ群の中からユーザが選択した音声データを再生し、
前記音声案内再生モードが選択されている場合は、前記第一の音声データ群の中からユーザが選択した音声データを再生するとともに、前記ユーザが選択した音声データの再生前あるいは再生後に、前記関連管理情報によって前記ユーザが選択した音声データと関連付けられた前記第二の音声データ群の中の音声データを再生することを特徴とする情報再生装置。
【請求項２】
記憶媒体に記録された音声データを読み出して再生することができ、さらに、再生順序を記述したプレイリストに記述された再生順序にしたがって前記音声データを再生できる情報再生装置であって、
通常再生モードと音声案内再生モードの２つの再生モードを選択できる再生モード選択手段と、
第一の音声データ群の中の音声データと第二の音声データ群の中の音声データをそれぞれ関連付ける関連管理情報を前記記憶媒体から読み出す関連管理情報読出手段とを有し、
前記再生モード選択手段によって通常再生モードが選択され、かつ、ユーザが前記プレイリストの中から所望のプレイリストを選択した場合は、ユーザが選択した前記所望のプレイリストに記述された再生順序に従って前記第一の音声データ群の中の音声データを再生し、
前記音声案内モードが選択され、かつ、ユーザが前記プレイリストの中から所望のプレイリストを選択した場合は、
ユーザが選択した前記所望のプレイリストに記述された再生順序に従って、前記第一の音声データ群に含まれる音声データを再生するとともに、
前記第一の音声データ群に含まれる各々の音声データの再生前あるいは再生後に、前記関連管理情報によって、前記所望のプレイリストに記述された再生順序に従って再生される前記第一の音声データ群に含まれる各々の音声データに関連付けられた前記第二の音声データ群の中の各々の音声データを再生することを特徴とする情報再生装置。
【請求項３】
記憶媒体に記録された音声データを読み出して再生することができ、さらに、再生順序を記述したプレイリストに記述された再生順序にしたがって前記音声データを再生できる情報再生装置であって、
通常再生モードと音声案内再生モードの２つの再生モードを選択できる再生モード選択手段と、
第一の音声データ群の中の音声データと第二の音声データ群の中の音声データをそれぞれ関連付ける関連管理情報を前記記憶媒体から読み出す関連管理情報読出手段と、
前記プレイリストと前記関連管理情報から、前記第一の音声データ群の中の音声データのそれぞれの再生順序の直前あるいは直後に、前記関連管理情報として前記第一の音声データ群の中のそれぞれの音声データに関連付けられた前記第二の音声データ群の中の音声データを再生するように、再生順序が記述された拡張プレイリストを生成する拡張プレイリスト生成手段とを有し、
前記拡張プレイリストが生成されるタイミングは、前記プレイリストが作成あるいは更新されるときであり、
前記再生モード選択手段によって通常再生モードが選択され、かつ、ユーザが前記プレイリストの中から所望のプレイリストを選択した場合は、ユーザが選択した前記所望のプレイリストに記述された再生順序に従って前記第一の音声データ群の中の音声データを再生し、
前記音声案内モードが選択され、かつ、ユーザが前記プレイリストの中から所望のプレイリストを選択した場合は、ユーザが選択した前記所望のプレイリストと前記関連管理情報から生成された前記拡張プレイリストに記述された再生順序に従って前記第一の音声データ群の中の音声データ及び前記第二の音声データ群の中の音声データを再生することを特徴とする情報再生装置。
【請求項４】
記憶媒体が情報再生装置に着脱可能な記憶媒体であり、かつ、前記記憶媒体内にプレイリストが記録されている場合は、拡張プレイリストが生成されるタイミングは、プレイリストが作成あるいは更新されるときに加え、前記記憶媒体が前記情報再生装置に装着される時も含むことを特徴とする請求項３記載の情報再生装置。
【請求項５】
記憶媒体に音声データを書き込むことのできる情報記録装置であって、
前記音声データに付随するタイトル情報を読み出すタイトル読出手段と、
テキストデータを音声データに変換する音声合成手段と、
関連する第一の音声データ群及び第二の音声データ群のそれぞれに含まれる２つの音声データを関連付ける関連管理情報を作成する関連管理情報作成手段と、を有し、
前記記憶媒体に前記第一の音声データ群に含まれる音声データを記録する際、前記タイトル読出手段によって前記第一の音声データ群に含まれる音声データのタイトル情報を読み出し、
前記タイトル情報がテキストデータであった場合、前記音声合成手段によって音声データに変換し、この変換された音声データを、前記第二の音声データ群に含まれる音声データとして前記記憶媒体に記録し、
前記第一の音声データ群に含まれる音声データと前記第二の音声データ群に含まれる音声データを関連付ける関連管理情報を前記関連管理情報作成手段によって作成し、この作成した関連管理情報を前記記憶媒体に記録することを特徴とする情報記録装置。
【発明の詳細な説明】
【技術分野】
【０００１】
本発明は、記憶媒体に記録された音声や音楽データを再生し、さらに、これらの音声や音楽データの再生順序を記述したプレイリストを用いて音声や音楽データを順次再生することのできる情報再生装置、ならびに、情報再生装置で用いられる記憶媒体に音声や音楽データなどを書き込むことができる情報記録装置に関する。
【背景技術】
【０００２】
音楽ＣＤやインターネットから取り込んだ音楽データを書き込んだ記憶媒体から音楽データを読み出して、音楽を再生できる携帯型の情報再生装置が一般に普及している。
【０００３】
この携帯型の情報再生装置の多くは、音声データの再生順序を記述したプレイリストを用いて、記憶媒体に記録された音楽をユーザが好む順に再生できる機能（プレイリスト機能）を有している。このプレイリスト機能は、プログラム機能とも呼ばれている。
【０００４】
ここで、従来の情報再生装置について、図１１、図１２および図１３を用いてその構成、および動作について説明する。
【０００５】
図１１は、従来の情報再生装置の構成の一例を示すブロック図である。図１１において、情報再生装置１００は、制御部１１０、記憶部１２０、操作部１３０、出力部１４０、読出部１５０、記憶媒体１６０、およびスピーカー１７０などの要素ブロックにより構成されており、制御部１１０は、各要素ブロック間のデータのやり取りの制御やデータを処理するプロセッサ、バスおよびプログラムなどで構成され、記憶部１２０は、ＲＡＭなどで構成され制御部１１０で処理するデータを一時的に記録し、操作部１３０は、ユーザにより再生する音声データやプレイリストを選択するために操作され、出力部１４０は、音声データを音声信号に変換してスピーカー１７０などに出力し、読出部１５０は、記憶媒体１６０に記録されたデータを読み出すように構成されている。なお、操作部１３０は、リモコンとして提供されることもある。
【０００６】
次に、従来の情報再生装置１００における記憶媒体１６０に記録される記録内容の一例を示す図である図１２と、上記記憶媒体１６０に記録されるプレイリストの内容の一例を示す図である図１３を参照しながら、記憶媒体１６０および記憶媒体１６０に記録される記録内容などについて説明する。情報再生装置１００で用いられる記憶媒体１６０としては、ＣＤ−ＲＯＭやメモリーカードのように情報再生装置１００から取り外し可能なメディアとして提供される場合もあるし、フラッシュメモリのように情報再生装置１００に固定されて提供される場合もある。記憶媒体１６０が情報再生装置１００に固定されて提供される場合は、記憶媒体１６０へのデータの書き込みは、通信ケーブルや専用コネクタを通して、情報再生装置１００の外部から送信されたデータが記録される。記憶媒体１６０に記録される記録内容としては、図１２に示すように、音声信号や音楽信号をディジタルデータ化した音データ１６１ａ〜１６１ｅと、音データ１６１ａ〜１６１ｅの再生順序を記述したプレイリスト１６２が記録される。図１３は、このプレイリスト１６２の内容の一例を示したものである。音データ１６１ａ〜１６１ｅおよびプレイリスト１６２はそれぞれ複数個記録することができ、その総数は、記憶媒体１６０の記録容量とそれぞれのデータが占める容量に左右される。
【０００７】
ここで、図１１に戻り、従来の情報再生装置１００における音データの再生方法を説明する。ユーザが、操作部１３０を操作することによって、再生する音データとして音データＣを選択すると、制御部１１０は、読出部１５０に対して記憶媒体１６０からユーザにより選択された音データＣを読み出すように要求する。読出部１５０は、制御部１１０の要求に応じて記憶媒体１６０からユーザにより選択された音データＣを読み出し、その読み出した音データＣを制御部１１０に出力する。制御部１１０は、また、読出部１５０から入力されたユーザにより選択された音データＣを出力部１４０に出力し、出力部１４０は、制御部１１０から入力されたユーザにより選択された音データＣの再生を行い、再生した音声信号をスピーカ１７０などから出力する。
【０００８】
次に、ユーザが、操作部１３０を操作することによって、プレイリスト１６２に基づいた再生を選択した場合の再生方法について説明する。制御部１１０は、読出部１５０に対して、記憶媒体１６０からプレイリスト１６２に含まれユーザにより選択されたプレイリスト（ａ）を読み出すように要求する。読出部１５０は、制御部１１０の要求に応じて記憶媒体１６０からユーザにより選択されたプレイリスト（ａ）の内容を読み出し、その読み出したプレイリスト（ａ）を制御部１１０に出力する。制御部１１０は、また、読出部１５０から入力されたユーザにより選択されたプレイリスト（ａ）を記憶部１２０に出力し、記憶部１２０は、制御部１１０から入力されたユーザにより選択されたプレイリスト（ａ）をコピーして記録する。制御部１１０は、さらに、記憶部１２０にコピーして記録されたユーザにより選択されたプレイリスト（ａ）を先頭から順次読み出すことにより、次に再生すべき音データの名称を取得し、その取得した名称の音データを順次再生する。例えば、図１３に示すようにユーザにより選択されたプレイリスト（ａ）の内容が「音データＣ、音データＡ、音データＢ、・・・」であった場合、まず、音データＣの再生を開始し、音データＣの再生が終了すると音データＡの再生を開始し、次に、音データＡの再生が終了すると音データＢの再生を開始する。
【０００９】
ところで、携帯型の情報再生装置は、ユーザの洋服のポケットや所持している鞄などに収納されて利用されるケースが一般的である。しかし、このような利用ケースの場合、利用者が再生中の音楽などのタイトルを知ろうとすると、洋服のポケットや鞄から情報再生装置を取り出し、情報再生装置本体やリモコンに備えられた液晶画面に表示されるタイトル情報を見て確認しなければならず、煩わしさがあった。
【００１０】
また、携帯型の情報再生装置は小型である場合が多く、体積上の制約や、コスト面から、液晶画面のような表示部を持てない場合もあり、このような機器では、表示部を使ってタイトル情報を知ることはできないという課題があった。このような課題を解決するための一つの方法として、情報再生装置にテキストデータから音声信号を生成する音声合成部を新たに設け、タイトル情報を音声信号に変換してユーザに伝えることにより、ユーザは、表示部に表示されたタイトル情報を見なくても、タイトル情報を認知することができる技術（方法）が特許文献１に示されている。
【特許文献１】特開平０９−１４６５７９号公報
【発明の開示】
【発明が解決しようとする課題】
【００１１】
しかしながら、従来の特許文献１に示されているような情報再生装置では、情報再生装置本体に新たに音声合成部を設ける必要があり、そのため、音声合成部を有していない既存の情報再生装置において実施することが困難であるという課題があった。また一般に、音声合成処理は、音楽データの再生処理に比べて処理するための負荷が大きく、その分消費電力の消耗も大きくなるため、特に、バッテリー容量が限られている携帯型の情報再生装置においては、音声合成部を設けることによりバッテリーの寿命が短くなるという課題があった。
【００１２】
本発明は、音声合成部を備えていない情報再生装置においても容易に実施することができ、かつ、バッテリーの消費量をほとんど増加させることなく、ユーザに対して音声によりタイトル情報を知らせることができる情報再生装置を提供することを目的とする。
【課題を解決するための手段】
【００１３】
上記の課題を解決するために、本発明に係る請求項１に記載の情報再生装置は、記憶媒体に記録された音声データを読み出して再生することができる情報再生装置であって、通常再生モードと音声案内再生モードの２つの再生モードを選択できる再生モード選択手段と、第一の音声データ群の中の音声データと第二の音声データ群の中の音声データをそれぞれ関連付ける関連管理情報を前記記憶媒体から読み出す関連管理情報読出手段とを有し、前記再生モード選択手段によって通常再生モードが選択されている場合は、前記第一の音声データ群の中からユーザが選択した音声データを再生し、前記音声案内再生モードが選択されている場合は、前記第一の音声データ群の中からユーザが選択した音声データを再生するとともに、前記ユーザが選択した音声データの再生前あるいは再生後に、前記関連管理情報によって前記ユーザが選択した音声データと関連付けられた前記第二の音声データ群の中の音声データを再生することを特徴とするものである。
【００１４】
また、本発明に係る請求項２に記載の情報再生装置は、記憶媒体に記録された音声データを読み出して再生することができ、さらに、再生順序を記述したプレイリストに記述された再生順序にしたがって前記音声データを再生できる情報再生装置であって、通常再生モードと音声案内再生モードの２つの再生モードを選択できる再生モード選択手段と、第一の音声データ群の中の音声データと第二の音声データ群の中の音声データをそれぞれ関連付ける関連管理情報を前記記憶媒体から読み出す関連管理情報読出手段とを有し、前記再生モード選択手段によって通常再生モードが選択され、かつ、ユーザが前記プレイリストの中から所望のプレイリストを選択した場合は、ユーザが選択した前記所望のプレイリストに記述された再生順序に従って前記第一の音声データ群の中の音声データを再生し、前記音声案内モードが選択され、かつ、ユーザが前記プレイリストの中から所望のプレイリストを選択した場合は、ユーザが選択した前記所望のプレイリストに記述された再生順序に従って、前記第一の音声データ群に含まれる音声データを再生するとともに、前記第一の音声データ群に含まれる各々の音声データの再生前あるいは再生後に、前記関連管理情報によって、前記所望のプレイリストに記述された再生順序に従って再生される前記第一の音声データ群に含まれる各々の音声データに関連付けられた前記第二の音声データ群の中の各々の音声データを再生することを特徴とするものである。
【００１５】
また、本発明に係る請求項３に記載の情報再生装置は、記憶媒体に記録された音声データを読み出して再生することができ、さらに、再生順序を記述したプレイリストに記述された再生順序にしたがって前記音声データを再生できる情報再生装置であって、通常再生モードと音声案内再生モードの２つの再生モードを選択できる再生モード選択手段と、第一の音声データ群の中の音声データと第二の音声データ群の中の音声データをそれぞれ関連付ける関連管理情報を前記記憶媒体から読み出す関連管理情報読出手段と、前記プレイリストと前記関連管理情報から、前記第一の音声データ群の中の音声データのそれぞれの再生順序の直前あるいは直後に、前記関連管理情報として前記第一の音声データ群の中のそれぞれの音声データに関連付けられた前記第二の音声データ群の中の音声データを再生するように、再生順序が記述された拡張プレイリストを生成する拡張プレイリスト生成手段とを有し、前記拡張プレイリストが生成されるタイミングは、前記プレイリストが作成あるいは更新されるときであり、前記再生モード選択手段によって通常再生モードが選択され、かつ、ユーザが前記プレイリストの中から所望のプレイリストを選択した場合は、ユーザが選択した前記所望のプレイリストに記述された再生順序に従って前記第一の音声データ群の中の音声データを再生し、前記音声案内モードが選択され、かつ、ユーザが前記プレイリストの中から所望のプレイリストを選択した場合は、ユーザが選択した前記所望のプレイリストと前記関連管理情報から生成された前記拡張プレイリストに記述された再生順序に従って前記第一の音声データ群の中の音声データ及び前記第二の音声データ群の中の音声データを再生することを特徴とするものである。
【００１６】
また、本発明に係る請求項４に記載の情報再生装置は、請求項３記載の情報再生装置において、記憶媒体が情報再生装置に着脱可能な記憶媒体であり、かつ、前記記憶媒体内にプレイリストが記録されている場合は、拡張プレイリストが生成されるタイミングは、プレイリストが作成あるいは更新されるときに加え、前記記憶媒体が前記情報再生装置に装着される時も含むことを特徴とするものである。
【００１７】
また、本発明に係る請求項５に記載の情報記録装置は、記憶媒体に音声データを書き込むことのできる情報記録装置であって、前記音声データに付随するタイトル情報を読み出すタイトル読出手段と、テキストデータを音声データに変換する音声合成手段と、関連する第一の音声データ群及び第二の音声データ群のそれぞれに含まれる２つの音声データを関連付ける関連管理情報を作成する関連管理情報作成手段とを有し、前記記憶媒体に前記第一の音声データ群に含まれる音声データを記録する際、前記タイトル読出手段によって前記第一の音声データ群に含まれる音声データのタイトル情報を読み出し、前記タイトル情報がテキストデータであった場合、前記音声合成手段によって音声データに変換し、この変換された音声データを、前記第二の音声データ群に含まれる音声データとして前記記憶媒体に記録し、前記第一の音声データ群に含まれる音声データと前記第二の音声データ群に含まれる音声データを関連付ける関連管理情報を前記関連管理情報作成手段によって作成し、この作成した関連管理情報を前記記憶媒体に記録することを特徴とするものである。
【発明の効果】
【００１８】
本発明に係る情報再生装置は、上記のような構成を有し、音声合成部を備えていない既存の情報再生装置であっても容易に実施することができ、かつ、バッテリーの消費量をほとんど増加させることなく、ユーザに対して音声によりタイトル情報を知らせることができる。
【発明を実施するための最良の形態】
【００１９】
以下、本発明に係る実施の形態を、図面を参照しながら説明する。
【００２０】
（実施の形態１）
図１は、本発明の実施の形態１における情報再生装置の構成を示すブロック図である。
また、図２は、本発明の実施の形態１における記憶媒体に記録される記録内容の一例を示す図である。また、図３は、本発明の実施の形態１における記憶媒体に記録される関連管理情報の一例を示す図である。
【００２１】
図１において、従来の情報再生装置として説明した図１１に示す構成ブロックと同じ働きをする構成ブロックについては同じ符号を付与し、説明を省略する。実施の形態１における情報再生装置２００は、制御部２１０、記憶部１２０、操作部２３０、出力部１４０、スピーカー（ヘッドホンを含む）１７０、および読出部２５０により構成され、さらに記憶媒体２６０を備えている。
【００２２】
記憶媒体２６０には、図２に示されているように、従来例における図１１の記憶媒体１６０と同様に、音データ２６１ａ〜２６１ｅとプレイリスト２６２が記録されるとともに、ある音データと該音データに関連するデータを有する音データとを関連付ける関連管理情報２６３が記録される。データ２６１ａ〜２６１ｅ、プレイリスト２６２、および関連管理情報２６３は、いずれも読出部２５０により読み出し可能な状態で記録される。ここで、プレイリスト２６２は、従来例の説明において図１３にその一例を示したプレイリスト１６２と同様の内容を有するものとする。また関連管理情報２６３は、図３にその一例が示されているように、主データフィールド２６４と関連データフィールド２６５から構成される項目の集合体である。これらの項目は、存在しない場合もあるし、複数で構成される場合もある。
【００２３】
読出部２５０は、従来例における図１１の読出部１５０が有する機能に加えて、関連管理情報２６３を記憶媒体２６０から読み出す機能を持っており、制御部２１０の要求に応じて記憶媒体２６０から関連管理情報２６３を読み出し、それを制御部２１０に出力する機能を有する。操作部２３０は、従来例における図１１の操作部１３０が有する機能に加えて、情報再生装置２００における再生モードを、「通常モード」または「音声案内モード」のいずれかに切替える機能を有する。なお、上記再生モードの切替えは、物理的なスイッチによって行ってもよい。制御部２１０は、従来例における図１１の制御部１１０が有する機能に加えて、読出部２５０に対して記憶媒体２６０から関連管理情報２６３を読み出すことを要求し、読出部２５０が出力する記憶媒体２６０から読み出した関連管理情報２６３を受け取る機能を有する。
【００２４】
以上の構成を有する情報再生装置２００において、それぞれの再生モードにおける音データの再生についてその動作を以下に説明する。
【００２５】
まず、再生モードが「通常モード」の場合の再生動作について説明する。情報再生装置２００は、図１１〜図１３を用いて説明した従来の情報再生装置１００と同様の再生動作をする。すなわち、ユーザにより操作部２３０で選択された音データを記憶媒体２６０から読み出し、この読み出したユーザにより選択された音データを再生するか、あるいは、ユーザにより操作部２３０で選択されたプレイリスト２６２に含まれる所望のプレイリストを記憶媒体２６０から読み出し、この読み出したユーザの所望のプレイリストの記述に従って順次音データを再生するなどの再生動作をする。
【００２６】
次に、再生モードが「音声案内モード」である場合の再生動作について、本発明の実施の形態１に係る再生モードが「音声案内モード」である場合の再生動作のフローチャートを示した図４を用いて説明する。
【００２７】
ユーザが操作部２３０を操作することにより、例えば、図２に示された主データである音データＣを選択する（ステップＳ２０１）と、制御部２１０は、読出部２５０に対して記憶媒体２６０から関連管理情報２６３を読み出すように要求し、読出部２５０は、制御部２１０の要求に応じて記憶媒体２６０から関連管理情報２６３を読み出し、その読み出した関連管理情報２６３を制御部２１０に出力する（ステップＳ２０２）。制御部２１０は、読出部２５０から入力された関連管理情報２６３の中から、ユーザが選択した音データＣの名称を主データフィールド２６４に持つ項目を検索し（ステップＳ２０３）、該当する項目がなければ、「通常モード」の場合と同様にユーザが選択した音データＣの再生動作に移行し（ステップＳ２０４）、該当する項目がある場合は、その項目の関連データフィールド２６５に記載されている関連データである音データＴｃの名称を取得する（ステップＳ２０５）。制御部２１０は、関連音データＴｃの名称を取得すると、再び読出部２５０に対して記憶媒体２６０から関連音データＴｃを取得するよう要求し、読出部２５０は、制御部２１０の要求に応じて記憶媒体２６０から該当する関連音データＴｃを読み出し、その読み出した関連音データＴｃを制御部２１０に出力する（ステップ２０６）。制御部２１０は、読出部２５０から入力された関連音データＴｃを出力部１４０に出力し、出力部１４０は、制御部２１０から入力されたその関連音データＴｃを再生し、その関連音データＴｃの再生音声信号はスピーカー１７０などから出力される（ステップＳ２０７）。関連音データＴｃの再生が終了すると、制御部２１０は、読出部２５０に対し、ユーザが操作部２３０を操作することにより選択した音データＣを記憶媒体２６０から読み出すように要求し、記憶媒体２６０から読み出された音データＣは、上記の関連音データＴｃの再生手順と同様にして出力部１４０で再生され、その再生音声信号はスピーカー１７０などから出力される（ステップＳ２０８）。
【００２８】
次に、再生モードが「音声案内モード」であり、かつ、プレイリスト２６２の中からユーザが操作部２３０を操作することにより選択した所望のプレイリストに基づいて音データの再生が順次開始される場合の再生動作を、本発明の実施の形態１に係る再生モードが「音声案内モード」であり、かつ、音データの再生が選択された所望のプレイリストに基づいて順次開始される場合の再生動作のフローチャートを示した図５を用いて説明する。なお、説明を簡単にするため、ここでは、制御部２１０は選択された所望のプレイリストの内容を読出部２５０を介して記憶媒体２６０から取得し、その取得した所望のプレイリストの内容を既に記憶部１２０にコピーしているものとする。
【００２９】
制御部２１０は、記憶部１２０に記録されている上記所望のプレイリストから、次に再生する音データ（例えば、図２に示された主データである音データＡ）の名称を読み出し（ステップＳ３０１）、音データＡが記憶媒体２６０に記録されているか否かを確認し、音データＡが記録されていなければ、さらにその次に再生する音データの再生動作に移行し（ステップＳ３０２）、音データＡが記録されていれば、この読み出した音データＡの名称が記載された項目を探すため、読出部２５０を介して記憶媒体２６０から関連管理情報２６３を読み出し（ステップＳ３０３）、この読み出した関連管理情報２６３の主データフィールド２６４を検索する（ステップＳ３０４）。主データフィールドに読み出した音データＡの名称を記載した項目がなければ、ステップＳ３０１で読み出した名称に対応する音データＡの再生動作に移行し、該当する項目がある場合は、その項目の関連データフィールド２６５に記載されている関連音データ（例えば、図２及び図３に示された音データＡの関連データである関連音データＴａ）の名称を取得する（ステップＳ３０５）。制御部２１０は、関連音データＴａの名称を取得すると、再び読出部２５０に対して記憶媒体２６０から関連音データＴａを取得するよう要求し、読出部２５０は、制御部２１０の要求に応じて記憶媒体２６０から該当する関連音データＴａを読み出し、その読み出した関連音データＴａを制御部２１０に出力する（ステップＳ３０６）。制御部２１０は、読出部２５０から入力された関連音データＴａを出力部１４０に出力し、出力部１４０は、制御部２１０から入力されたその関連音データＴａを再生し、その関連音データＴａの再生音声信号はスピーカー１７０などから出力される（ステップＳ３０７）。関連音データＴａの再生が終了すると、制御部２１０は、読出部２５０に対し、ステップＳ３０１において読み出した名称に対応する音データＡを記憶媒体２６０から読み出すように要求し、記憶媒体２６０から読み出された音データＡは、上記の関連音データＴａの再生手順と同様にして出力部１４０で再生され、その再生音声信号はスピーカー１７０などから出力される（ステップＳ３０８）。音データＡの再生が終了すると、ユーザが選択した所望のプレイリストに記述された内容の終端に至っていなければ（ステップＳ３０９）、再びステップＳ３０１に戻り同様の動作を繰り返す。以上の動作は、ユーザが選択した所望のプレイリストに記述された内容の終端に至るか、もしくはユーザが操作部２３０を操作することにより再生が中断されるまで繰り返される。
【００３０】
次に、本発明の実施の形態１における情報記録装置の構成を示すブロック図である図６を用いて、本発明の実施の形態１における情報再生装置２００で用いられる記憶媒体２６０に対して、音データ２６１ａ〜２６１ｅや関連管理情報２６３などのデータを記録する情報記録装置３００について説明する。
【００３１】
本発明の実施の形態１における情報記録装置３００は、装置内の各構成ブロックとのデータのやり取りを制御するプロセッサやバス、およびプログラムで構成された制御部３１０、音楽ＣＤやメモリーカードなどの記録メディア３２１に記録された音楽データを読み出すリーダーなどで構成される読出部３２０、記憶媒体２６０に対してデータを書き込みあるいは読み出しをする入出力部３３０、テキストデータを音声データへと変換するソフトウェアなどで実現される音声合成部３４０、およびネットワーク３５１に接続するための通信部３５０で構成される。制御部３１０は、読出部３２０によって記録メディア３２１から読み出されたデータを、情報再生装置２００で再生できるファイルフォーマットなどに変換して、入出力部３３０を介して記憶媒体２６０に書き込み、また、記憶媒体２６０に書き込まれた複数の音データをそれぞれ関連付ける関連管理情報２６３を作成するなどの機能を有する。音声合成部３４０は、制御部３１０から入力されたテキストデータを音声データに変換し、その変換した音声データを制御部３１０に出力する。情報記録装置３００は、また、ネットワーク３５１を介してＣＤＤＢ（ＣＤ  ＤａｔａＢｅｓｅ）サーバ３７０と通信可能な状態になっている。ここで、ＣＤＤＢサーバ３７０は、クライアントから送られたＣＤのＴＯＣ情報に基づき、収録曲のタイトル情報などを返信する機能を有するサーバである。
【００３２】
以上のように構成された情報記録装置３００において、メモリーカードから音楽ファイルを読み取って、それを記憶媒体２６０に書き込む場合の動作を、図７（ａ）に示したフローチャートを用いて説明する。図７（ａ）は、本発明の実施の形態１におけるメモリーカード内の音楽ファイルを記憶媒体に記録する時の情報記録装置の動作を示したフローチャートである。
【００３３】
読出部３２０は、記録メディア（メモリーカード）３２１から音楽ファイルを読み出し、それを制御部３１０に出力する（ステップＳ４０１）。制御部３１０は、読出部３２０から入力された音楽ファイルを、例えば、図２に示された音データＡとして、入出力部３３０を介して記憶媒体２６０に記録する（ステップＳ４０２）。次に、制御部３１０は、読み出した音楽ファイル内に存在するタイトル情報や演奏家などのプロパティ情報の取得を試みる（ステップＳ４０３）。プロパティ情報を取得できなかった場合は、そこで記憶媒体２６３への書き込み動作を終了させ、プロパティ情報をテキストデータとして取得できた場合は、そのプロパティ情報を音声合成部３４０に出力する（ステップＳ４０５）。音声合成部３４０は、制御部３１０から入力されたプロパティ情報を音声化したデータに変換した後、その変換されたデータを制御部３１０に出力する（ステップＳ４０６）。制御部３１０は、音声合成部３４０から入力された音声化したデータを新たな音データ、例えば、図２に示された音データＴａとして、入出力部３３０を介して記憶媒体２６０に記録する（ステップＳ４０７）。その後、制御部３１０は、記憶媒体２６０に関連管理情報２６３が存在するか否かを調べ（ステップＳ４０８）、関連管理情報２６３が存在しない場合は、関連管理情報を新規に作成し（ステップＳ４０９）、その上で後述するステップＳ４１０に示すように新たな項目を追加する。関連管理情報２６３が存在している場合は、例えば、図３に示すように、関連管理情報２６３における主データフィールドに音データＡの名称を、また関連データフィールドに音データＴａの名称を記載した項目を新たに追加する（ステップＳ４１０）。
【００３４】
一方、情報記録装置３００において、音楽ＣＤから音楽データを読み出して、それを記憶媒体２６３に書き込む場合の動作を、図７（ｂ）に示したフローチャートを用いて説明する 。図７（ｂ）は、本発明の実施の形態１における音楽ＣＤ内の音声データを記憶媒体に記録する時の情報記録装置の動作を示すフローチャートである。
【００３５】
読出部３２０は、記録メディア（音楽ＣＤ）３２１から音楽データおよびＴＯＣ情報を読み出し、それを制御部３１０に出力する（ステップＳ４５１）。制御部３１０は、読出部３２０から入力されたＴＯＣ情報を、通信部３５０を介してＣＤＤＢサーバ３７０に送信し、ＣＤＤＢサーバ３７０に対して音楽ＣＤに収録された音楽データのプロパティ情報を問い合わせる（ステップＳ４５２）。制御部３１０は、さらに、ＣＤＤＢサーバ３７０から返信された音楽ＣＤに収録された音楽データのプロパティ情報を受信し（ステップＳ４５３）、このＣＤＤＢサーバ３７０から返信されたプロパティ情報を用いて、音楽データを記憶媒体２６０に書き込む（ステップＳ４５４）。この音楽データを記憶媒体２６０に書き込む際には、図７(ａ)で示したフローを実行する。
【００３６】
以上のように、本発明の実施の形態１における情報再生装置２００によれば、音データが再生される前に、その音データに関連する関連音データが再生されるので、情報再生装置２００を利用するユーザに対して、これから再生される音データのタイトル情報を、音声で伝えることができる。また、上記機能の実現は、情報再生装置２００における制御部２１０、操作部２３０、および読出部２５０などが有する機能を実現するための再生プログラムを変更するだけで対応できるので、情報再生装置２００に音声合成部を新たに設ける必要がなく、例えば、従来例として図１１を用いて説明した既存の情報再生装置１００においても容易に適用することが可能である。また、タイトル情報を含む関連音データは、音楽データなどの通常の音データと同じように扱われて再生されるため、消費電力が増加するような特殊な信号処理を行う必要がない。
【００３７】
なお、本発明の実施の形態１では、関連音データを再生した後に音データを再生するようにしたが、音データを再生した後に関連音データを再生するようにしてもよい。この場合は、ユーザに対し、音データの再生が終了した時点で、その音データのタイトル情報を音声で伝えることができる。また、本発明の実施の形態１では、プレイリスト２６２、および関連管理情報２６３において記述される情報の例として音データの名称を使用したが、記憶媒体２６０のトラック番号や記憶媒体２６０上の物理アドレスであってもよい。これらの記憶媒体２６０のトラック番号や記憶媒体２６０上の物理アドレスを使用することにより、記憶媒体２６０が、音データの名称を有していないＲＡＷデータ形式のものであっても同様の効果を得ることができる。
【００３８】
（実施の形態２）
図８は、本発明の実施の形態２における情報再生装置の構成を示すブロック図である。  
【００３９】
図８において、図１に示す本発明の実施の形態１における構成ブロックと同じ働きをす
る構成ブロックについては同じ符号を付与し、ここでは詳細な説明を省略する。実施の形態２における情報再生装置４００において、制御部４１０は、本発明の実施の形態１における制御部２１０が有する機能に加えて、プレイリスト２６２から拡張プレイリスト４１１を新規に生成する機能を有し、その新規に生成される拡張プレイリスト４１１は、記憶部１２０において記録される。
【００４０】
図９は、本発明の実施の形態２における拡張プレイリストを生成する時の情報再生装置の動作を示すフローチャートであり、また、図１０は、本発明の実施の形態２におけるプレイリスト、関連管理情報およびこの二つの情報の内容に基づいて生成される拡張プレイリストの一例を示した図である。図９および図１０を用いて、以下に拡張プレイリスト４１１が生成される手順を説明する。
【００４１】
制御部４１０は、読出部２５０を介して記憶媒体２６０から読み出したプレイリスト２６２の内容を記憶部１２０にコピーするとき、記憶部１２０内に空の拡張プレイリスト４１１を作成する（ステップＳ５０１）。その後、制御部４１０は、記憶部１２０に記録されているプレイリスト、例えば、図１０に示されたプレイリスト（ａ）から、まず、プレイリスト（ａ）の先頭の音データＡの名称を読み出し（ステップＳ５０２）、この読み出した音データＡの名称が記載された項目を探すため、読出部２５０を介して記憶媒体２６０から関連管理情報２６３を読み出し（ステップＳ５０３）、この読み出した関連管理情報２６３の主データフィールド２６４を検索し、その結果、該当する項目がなければ、後述するステップＳ５０８に移行して音データＡの名称のみを拡張プレイリスト４１１に記載する。一方、該当する項目がある場合は、さらに、その該当する項目の関連データフィールド２６５に関連音データ（例えば、図１０の関連管理情報２６３に示された音データＴａ）の名称の記載があるか否かを確認し（ステップＳ５０４）、該当する項目の関連データフィールド２６５に関連データの名称の記載がなければ、後述するステップＳ５０８に移行して音データＡの名称のみを拡張プレイリスト４１１に追記し（ステップＳ５０５）、該当する項目の関連データフィールド２６５に関連音データの名称の記載がある場合は、その項目の関連データフィールド２６５に記載されている関連音データ（例えば、図１０の関連管理情報２６３に示された音データＴａ）の名称を取得する（ステップＳ５０６）。この取得した関連音データＴａの名称は、図１０の拡張プレイリスト（ａ）に示すように、拡張プレイリスト４１１に追記され（ステップＳ５０７）、その後、この関連音データＴａの名称の記録に続けて音データＡの名称を追記する（ステップＳ５０８）。
【００４２】
以上のように、拡張プレイリスト４１１がプレイリスト２６２と関連管理情報２６３に基づいて生成されることを説明したが、次に、プレイリスト２６２と関連管理情報２６３に基づき、どのような拡張プレイリスト４１１が生成されるのかを、図１０を用いて説明する。図１０において、関連管理情報が、本発明の実施の形態１における図３で説明した関連管理情報２６３と同じ内容を有し、プレイリスト２６２が、プレイリスト（ａ）で示された内容を有している場合、関連管理情報２６３とプレイリスト（ａ）に基づいて生成される拡張プレイリスト４１１は、拡張プレイリスト（ａ）で示されたものになる。同様にして、関連管理情報２６３とプレイリスト（ｂ）に基づいて生成される拡張プレイリスト４１１は、拡張プレイリスト（ｂ）で示されたものになる。
【００４３】
この拡張プレイリスト４１１が生成されるタイミングは、情報再生装置４００において記憶媒体２６０に新たにプレイリスト２６２が作成される時や、記憶媒体２６０のプレイリスト２６２が更新される時に行われる。また、記憶媒体２６０が、情報再生装置４００から取り外し可能なメディアである場合、記憶媒体２６０を情報再生装置４００に装着する時に、記憶媒体２６０がプレイリスト２６２を有していれば、あるいは、記憶媒体２６０がプレイリスト２６２と関連管理情報２６３を有していれば、同様にして拡張プレイリスト４１１を作成する。逆に、記憶媒体２６０が情報再生装置４００から取り外された時、拡張プレイリスト４１１が記憶部１２０に存在する場合は、その拡張プレイリスト４１１を記憶部１２０から削除する。
【００４４】
以上のように構成された情報再生装置４００において、それぞれの再生モードにおいて、音データがどのように再生されるかについて説明する。再生モードが「通常モード」の場合、情報再生装置４００は、図１１〜図１３を用いて説明した従来の情報再生装置１００と同様の再生動作をする。すなわち、ユーザが操作部２３０を操作することにより選択された音データを再生するか、あるいはユーザが操作部２３０を操作することにより選択されたプレイリストに記述された順序に従って、順次音データを再生する。また、再生モードが「音声案内モード」である場合、ユーザが操作部２３０を操作することにより所望の音データが選択されると、本発明の実施の形態１に係る再生モードが「音声案内モード」である場合の再生動作と同様の動作をする。さらに、再生モードが「音声案内モード」であり、かつ、ユーザが操作部２３０を操作することによって所望のプレイリスト、例えば、図１０に示されたプレイリスト（ａ）が選択された場合、プレイリスト（ａ）と関連管理情報２６３から生成された図１０に示された拡張プレイリスト（ａ）に記述された再生順序に従って再生を行う。この場合、本発明の実施の形態１に係る再生モードが「音声案内モード」であり、かつ、ユーザが操作部２３０を操作することによって選択したプレイリストに記述された再生順序に従って再生を行う場合のように、図５のフローチャートに示したようなフローに従って複雑な動作をさせる必要がなく、拡張プレイリスト４１１に記載された順序に従って、簡単に動作をさせることができる。
【００４５】
以上のように、本発明の実施の形態２における情報再生装置４００によれば、音データが再生される前に、その音データに関連する関連音データが再生されるので、情報再生装置４００を利用するユーザに対して、これから再生される音データのタイトル情報を、音声で伝えることができる。また、上記機能の実現は、情報再生装置４００における制御部４１０、操作部２３０、および読出部２５０などが有する機能を実現するための再生プログラムを変更するだけで対応できるので、情報再生装置４００に音声合成部を新たに設ける必要がなく、例えば、従来例として図１１を用いて説明した既存の情報再生装置１００においても容易に適用することが可能である。また、タイトル情報を含む関連音データは、音楽データなどの通常の音データと同じように扱われて再生されるため、消費電力が増加するような特殊な信号処理を行う必要がない。
【産業上の利用可能性】
【００４６】
本発明に係る情報再生装置および情報記録装置によれば、ユーザは、表示部に表示される情報を見なくても、あるいは、表示部が備えられていなくても、音声により再生データに関連するタイトル情報を得ることができ、さらに、情報再生装置が音声合成部を備えていなくても、同様に、音声により再生データに関連するタイトル情報を得ることができるので、特に携帯型の情報再生装置として有用である。
【図面の簡単な説明】
【００４７】
【図１】本発明の実施の形態１における情報再生装置の構成を示すブロック図
【図２】本発明の実施の形態１における記憶媒体に記録される記録内容の一例を示す図
【図３】本発明の実施の形態１における記憶媒体に記録される関連管理情報の一例を示す図
【図４】本発明の実施の形態１に係る再生モードが音声案内モードである場合の再生動作のフローチャート
【図５】本発明の実施の形態１に係る再生モードが音声案内モードであり、かつ、音データの再生が選択されたプレイリストに基づいて順次開始される場合の再生動作のフローチャート
【図６】本発明の実施の形態１における情報記録装置の構成を示すブロック図
【図７】（ａ）本発明の実施の形態１におけるメモリカード内の音声ファイルを記憶媒体に記録する時の情報記録装置の動作を示すフローチャート、（ｂ）本発明の実施の形態１における音楽ＣＤ内の音声データを記憶媒体に記録する時の情報記録装置の動作を示すフローチャート
【図８】本発明の実施の形態２における情報再生装置の構成を示すブロック図
【図９】本発明の実施の形態２における拡張プレイリストを生成する時の情報再生装置の動作を示すフローチャート
【図１０】本発明の実施の形態２におけるプレイリスト、関連管理情報、およびこの二つの情報の内容に基づいて生成される拡張プレイリストの一例を示す図
【図１１】従来の情報再生装置の構成の一例を示すブロック図
【図１２】従来の情報再生装置における記憶媒体に記録される記録内容の一例を示す図
【図１３】従来の情報再生装置における記憶媒体に記録されるプレイリストの内容の一例を示す図
【符号の説明】
【００４８】
１００  情報再生装置
１１０  制御部
１２０  記憶部
１３０  操作部
１４０  出力部
１５０  読出部
１６０  記憶媒体
１６１ａ〜１６１ｅ  音データ
１６２  プレイリスト
１７０  スピーカー
２００  情報再生装置
２１０  制御部
２３０  操作部
２５０  読出部
２６０  記憶媒体
２６１ａ〜２６１ｅ  音データ
２６２  プレイリスト
２６３  関連管理情報
２６４  主データフィールド
２６５  関連データフィールド
３００  情報記録装置
３１０  制御部
３２０  読出部
３２１  記録メディア
３３０  入出力部
３４０  音声合成部
３５０  通信部
３５１  ネットワーク
３７０  ＣＤ  ＤａｔａＢｅｓａ  サーバ
４００  情報再生装置
４１０  制御部
４１１  拡張プレイリスト
【図１】
2006277787.tif 000003
【図２】
2006277787.tif 000004
【図３】
2006277787.tif 000005
【図４】
2006277787.tif 000006
【図５】
2006277787.tif 000007
【図６】
2006277787.tif 000008
【図７】
2006277787.tif 000009
【図８】
2006277787.tif 000010
【図９】
2006277787.tif 000011
【図１０】
2006277787.tif 000012
【図１１】
2006277787.tif 000013
【図１２】
2006277787.tif 000014
【図１３】
2006277787.tif 000015